(57)【特許請求の範囲】
【請求項１】
上キャップと下キャップを一体化して構成される組み合わせキャップにおいて、
上キャップの天面と、該天面の周囲下方にそれぞれ上下位置に少なくとも３つ以上の切断容易なブリッジで連接されて円周上の一部に引き裂き用摘まみを有するタンパーエビデントバンド部と、その下方に続いて下キャップの外周面全体を覆うように形成されると共に内面には下キャップのカール部の下方位置で壜口の側面に形成された周溝に係合する突起部を備えた下キャップカバー部と、該天面下面の中心部に下キャップと連結するためのカシメ用筒状を垂下させて形成し、該カシメ用筒状の周囲に壜口から組み合わせキャップを取外す時に下キャップの天部中心付近を押圧するための押さえ部を天面下面に垂下し、下キャップとの間に隙間を設けるようにして形成した樹脂製の上キャップと、
中心に前記上キャップから垂下されたカシメ用筒状を貫通できるカシメ孔を備えた上キャップと略同一径の天部と、該天部の外周に垂下して設けられその下端が壜口側面の周溝に係合するようにカール部が形成されて少なくとも３つ以上のスリットが設けられた側壁部で形成され、その内面に樹脂製のパッキン部材を装填された金属製の下キャップとからなり、
前記上キャップを下キャップに同心円上に載置して上キャップのカシメ用筒状を下キャップのカシメ孔に貫通して該筒状の下端をカシメたことを特徴とする組み合わせキャップ。
【発明の詳細な説明】
【０００１】
【産業上の利用分野】
本発明は、主に焼酎や日本酒の容器に使用されている、いわゆる「１升壜」のキャップの構造に関するもので、従来「冠頭」と称されるキャップカバーの開封時にしばしば問題となる取り外し時の「ケガ」を防止するとともに、ピルファ・プルーフ性能も兼ね備えた組み合わせキャップの構造に関するものである。
【０００２】
【従来の技術】
従来、焼酎や日本酒が充填された１升壜は、内栓と外栓の２つのパートから構成されており、内栓はブリキ等の金属の天面と樹脂あるいはコルクからなり壜口に嵌合されて内容物の蜜付迂生を保持するとともに再栓ができるような構成となっている。一方、外栓はその殆どが薄い肉厚のアルミニウムで一方が開放された壜口径よりやや大きめに設定された筒状で構成され、充填工程で内容物が充填され内栓が打栓された後に壜口に被冠されて壜口側面に設けられた周溝に巻き閉められて固定されるように使用されている。
【０００３】
そして当該１升壜を購入した消費者はキャップを開封する際、外栓の下端から上方に向かってに設けられた切り口部を指などで起こして一部をつまめる状態にしてから、切り口部を外周方向に引っ張りながら外栓を取り外して使用する。
【０００４】
前記の外栓の取り外しは、薄肉厚のアルミニウムの金属を引き裂くようにするために切り取り難かったり、その切り口が鋭利となって指を切るなどのケガの発生がしばしばあり、消費者から改善の要求がされている。また金属を裂き切るためには一定以上の力が必要であり、ひ弱な女性ではスムーズに開封するという事が困難であるということも潜在的に問題となっていた。
【０００５】
一方、内栓においても壜の口内径のバラツキやキャップのバラツキもあり、再栓時も含めて密封性を重視せざるを得ない傾向にあり、内栓と壜口の嵌め合いの関係が硬めに設定される場合が多く、結果として内栓が外しにくいという問題も内在している。
【発明が解決しようとする課題】
【０００６】
【発明が解決しようとする課題】
本発明は上記のような従来の種々な問題点をいっきに解消して、当然ピルファプルーフ性を満足しつつ、手指を切ってケガをする心配もなく、開封が極めて容易になるキャップを提供するために完成されたものである。
【０００７】
【課題を解決するための手段】
上記の課題を解決するためになされた本発明の組み合わせキャップは、上キャップと下キャップを一体化して構成される組み合わせキャップにおいて、上キャップの天面と、該天面の周囲下方にそれぞれ上下位置に少なくとも３つ以上の切断容易なブリッジで連接されて円周上の一部に引き裂き用摘まみを有するタンパーエビデントバンド部と、その下方に続いて下キャップの外周面全体を覆うように形成されると共に内面には下キャップのカール部の下方位置で壜口の側面に形成された周溝に係合する突起部を備えた下キャップカバー部と、該天面下面の中心部に下キャップと連結するためのカシメ用筒状を垂下させて形成し、該カシメ用筒状の周囲に壜口から組み合わせキャップを取外す時に下キャップの天部中心付近を押圧するための押さえ部を天面下面に垂下し、下キャップとの間に隙間を設けるようにして形成した樹脂製の上キャップと、中心に前記上キャップから垂下されたカシメ用筒状を貫通できるカシメ孔を備えた上キャップと略同一径の天部と、該天部の外周に垂下して設けられその下端が壜口側面の周溝に係合するようにカール部が形成されて少なくとも３つ以上のスリットが設けられた側壁部で形成され、その内面に樹脂製のパッキン部材を装填された金属製の下キャップとからなり、前記上キャップを下キャップに同心円上に載置して上キャップのカシメ用筒状を下キャップのカシメ孔に貫通して該筒状の下端をカシメたことを特徴とするものである。
【０００８】
ここでキャップを構成する材質は、上キャップは樹脂であれば良いが、好ましくはポレエチレンまたはポリプロピレンとすることが望まれる。また下キャップは弾性を有する金属であれば何でもよいが、好ましくはブリキ、またはステンレス、または硬度のあるアルミニウムから選択されるのが望ましい。そして下キャップの天部内面に装填されるパッキン部材は押圧したときに僅かに変形するような性質を持ったシート状のものでよく、例えば一般にアルミＰＰキャップに使用されているＰＥＴハイシートや圧縮コルクシートのようなものである。
【０００９】
まず、上キャップの構造は、天面外周の下端部に設けたタンパーエビデントバンド部と天面及びタンパーエビデントバンド部と下キャップカバー部をそれぞれ連結するブリッジはキャッピングを安定させるために少なくとも３つ以上必要とするが、好ましくは円周等間隔に６個から８個程度形成するのが望ましい。そして小さい力で容易に切断させるために厚みが１ｍｍ前後でその幅は０．３〜２ｍｍとするのが好ましい。また、断続的なブリッジで構成せずに、0.5mm 程度の厚みの切断が容易な連続的な帯状で形成してもかまわない。ここで、下キャップカバー部の内面には、カール部の下方位置で壜口の側面に形成された周溝に係合する突起部を備えている。また、下キャップの側壁部は壜口天の水平位置で内側に凹んだ形状となっており、その外側から下キャップカバー部内面の突部が係合するような状態で形成されている。
【００１０】
また、下キャップと連結するために設けられるカシメ用筒状は、公知の形態であれば良いが、下キャップの貫通孔に嵌合してカシメたときに上キャップと下キャップが横方向に１ｍｍ以上ずれない程度の嵌合程度であれば良い。そして押さえ部は極力天面板の中心に近接しているほうが良いが、略したキャップの天部の半径方向の半分以内に設けられておればよい。なお、カシメ用筒状も押えさ部も構成上円筒形状が良いが、円筒状に断続的な形状としてもかまわない。押さえ部と下キャップの隙間は、上キャップのブリッジの隙間より大きくする。装着後、輸送中等の取扱い中に上キャップより力が加わっても開封されないようにしている。
【００１１】
次に、下キャップの構造は、天部の中心に上キャップのカシメ用筒状を貫通させて上下キャップを一体化するためのカシメ孔を形成し、該天部の外周付近円周上で壜口の厚みのほぼ中央部に対応する円周上に下方向かった凸部を設け、該凸部をパッキン部材に当接させるとともに、下キャップ側壁部下端に形成したカール部を壜口の周溝と係合させてキャップを装着したときに下キャップの金属の弾性により、パッキン部材と壜口天面が密接することにより気密を保持させる構造としている。
【００１２】
そして、下キャップの側壁部からカール部にかけて複数のスリットを設け、天部が押されてへこんだ形状となったとき、キャップの材料の弾性によって凸部を支点として側壁部が傘状に開いて壜口の周溝とカール部の係合が開放され、キャップが外れる形態となっている。該スリットは少なくとも３つ以上備えていれば良いが、望ましくは側壁部の円周上に８か所から２４か所設けることが適切である。この時に、下キャップカバー部を持って外した場合でも、スリットで手指を切る等の心配がない。なお、周溝とカール部の係合が開放される状態で、下キャップカバー部の径より側壁部が外側に拡がった状態の径の方が極端に大きくならないような寸法設定で、下キャップカバー部と側壁部には隙間を設けている。
【００１３】
【発明の実施の形態】
本発明の好ましい実施の形態を図面で以下に説明する。
図１は本発明の代表的な実施例を示す一部断面図であり、１升壜の壜口４に本発明の組み合わせキャップを装着した状態を示している。１はポリプロピレンで成形された上キャップであり、天面１１の外周下端部に複数のブリッジ１５で連接される一方で、その下部も複数のブリッジ１５で連接されたタンパーエビデントバンド１２を備え、該タンパーエビデントバンド１２の一端に切り裂き用摘まみ１２ａが取り出し自在に設けられている。そして、そのブリッジ１５を介して下方に下キャップ２の側壁部２３を覆うように下キャップカバー部２７が形成されている。さらに、下キャップカバー部２７の内面には、カール部２４の下方で、壜口４の側面に設けられた周溝４１に係合する突起部２８を備えている。さらに、下キャップ２の側壁部２３は壜口天の水平位置で内側に凹んだ形状となっており、その外側から下キャップカバー部２７内面の突部２９が係合するような状態で形成されている。また、天面１１の下面にはその中心にカシメ用筒状部１３と該カシメ用筒状部１３に近接して同心円状に押さえ部１４が垂下して形成されている。
【００１４】
２はブリキで成形された下キャップであり、天部２１の中心に前記上キャップ１から垂下するカシメ用筒状部１３が貫通するカシメ用孔２２が設けられ、天部２１の外周付近で壜口４の肉厚のほぼ中央部に位置するように凸部２６が下方に向かって形成されている。そして天部２１の外周から垂下して等間隔で複数のスリット２５を備えた側壁部２３が設けられ、該側壁部２３の下端はカール部２４が形成されて、壜口４の側面に形成された周溝４１と係合している。そして、下キャップ２の内部の天部２１下には凸部２６と当接するように日本ハイシート工業社製のＰＥＴのパッキン部材３が装填されている。
【００１５】
下キャップの側壁部２３からカール部２４の形状はパッキン部材３を下キャップ２に装填し、キャップを壜口４に装着したときに壜口４の口天部がパッキン部材３を押圧してパッキン部材３に食い込んで壜の気密を保持するような寸法関係で形成される。
【００１６】
なお、本発明の上キャップ１、下キャップ２およびパッキン部材３は、それぞれ別の工程で作られて図１で示すような形態に組み合わせられる。
【００１７】
次に本発明の組み合わせキャップの充填工程における壜口への装着方法は、内容物が充填された例えば一升瓶の壜口４の口天面に本発明の組み合わせキャップを載置し、その後上キャップ１の天面１１に押圧力をかけるだけで容易に装着できる。従来の工程での巻き締め工程は不要である。
【００１８】
そして消費者が充填物を取り出すために開封したり、再キャップして保存するときの本発明の組み合わせキャップの取扱いを、図２から図４で説明する。まず本発明の組み合わせキャップを開封するには、タンパーエビデントバンド１２の一端に取り出し自在に設けられている切り裂き用摘まみ１２ａをつまんで引っ張り、図２に示すように外方向に引き裂くようにブリッジを切断してタンパーエビデントバンド１２を上キャップから取り外すと共に、下部が下キャップカバー部２７として下キャップ２の側壁部２３を覆ったままの状態で残り、図３に示す状態になる。
【００１９】
そして次に壜口から本発明の組み合わせキャップを取り外すには、上キャップ１の天面１１を指で押すと既にタンパーエビデントバンド１２が取り除かれているので、上キャップ１の押さえ部１４が下キャップの天部２１の中心部付近を押圧することとなり、天部２１は下方に湾曲するように凹む状態となる。この時、凸部２６を支点としてスリットが形成されている側壁部が図４に示すように傘状に開いて、カール部２４が係合していた壜口４の周溝４１から外れて容易にキャップを取り外すことが出来る。この時には、手指は、下キャップカバー部或いは上キャップを持つこととなり、安全に取り外し作業が行える。なお、周溝４１とカール部２４の係合が開放される状態で、下キャップカバー部２７の径より側壁部２３が外側に拡がった状態の径の方が極端に大きくならないような寸法設定で、下キャップカバー部２７と側壁部２３には隙間を設けている。また、側壁部２３に当たる下キャップカバー部２７の部分を薄肉とし、側壁部２３が広がる時、下キャップカバー部２７も広げることもできる。
【００２０】
取り外した本発明のキャップを再度壜口４に装着するには、下キャップ２の内面がドーム状となった状態で中央付近を押し返すと本発明のキャツプの天部２１が開栓前の状態に復元されて、傘状に開いた側壁部２３が筒状の状態となるので、側壁部２３を覆う下キャップカバー部２７の外周を持って壜口４に押さえつけるようにすれば、図３に示す状態となり、再キャップされて、壜口４の気密が保持されることとなる。
【００２１】
【発明の効果】
以上の説明から明らかなように、本発明の組み合わせキャップは、樹脂製の上キャップにタンパーエビデントバンドを設けてあるので、従来通りピルファプルーフ性が保たれ、開封のいたずら防止が可能となる。
【００２２】
また、上キャップを樹脂製で形成してあるので、従来の金属製の冠頭を取り除くときに比較して小さい力で取り外すことが出来るし、最も効果的なことは、手指をケガするという消費者が最も嫌う危険性を殆ど無くすることが出来る。
【００２３】
当然再キャップも可能な形態であり、しかも壜口の外形と係合させてキャップを装着する構造としたので、ばらつきが発生しやすい壜口の内径寸法管理も大幅に緩和できるとともに、充填工程におけるキャッピング工程も押圧するだけで巻き締めが不要であるので装置も簡素化でき、キャッピング工程のトラブル防止にもなり工程の安定やスピードアップにも側面的に効果を発揮することが考えられる。
よって本発明は従来の問題点を解決できる組み合わせキャップとして極めて大きな意義がある。
【図面の簡単な説明】
【図１】本発明の実施形態の概要を示す一部断面図である。
【図２】本発明の開封の概要を示す図である。
【図３】本発明の開封の概要を示す一部断面図である。
【図４】本発明の開栓の概要を示す一部断面図である。
【符号の説明】
１  上キャップ
１１  天面
１２  タンパーエビデントバンド
１３  カシメ用筒状
１４  押さえ部
１５  ブリッジ
２７  下キャップカバー部
２８  突起部
２９  突部
２  下キャップ
２１  天部
２２  カシメ孔
２３  側壁部
２４  カール部
２５  スリット
２６  凸部
３  パッキン部材
４  壜口
４１  周溝
【図１】
0003961630.tif 000002
【図２】
0003961630.tif 000003
【図３】
0003961630.tif 000004
【図４】
0003961630.tif 000005